(57)【要約】【課題】均一配光範囲が容易に変更でき、外部配線の整理が容易な探傷用灯具を提供する。【解決手段】探傷用灯具１は、複数の灯具収納ユニット１０と、１つ以上の連結部１１と固定部材４０を備え、灯具収納ユニット１０が連結部１１を略中心に回動可能であり、灯具収納ユニット１０に収納された光源２４は、回動による変形前の直列形態や、変形後の並列形態において、隣り合う光源２４との距離が同一に保たれる。【選択図】図１
2019114414.tif 000002
【特許請求の範囲】
【請求項１】
灯具収納ユニットを複数有し、該灯具収納ユニット同士は連結部を通じて連結され、該灯具収納ユニット同士は前記連結部を略中心として変形可能な探傷用灯具であって、前記灯具収納ユニットは、箱状であって上面部、側面部、底面部をそれぞれ有し、前記灯具収納ユニットの内部には１つまたは複数の光源を有し、前記光源の中心と、他の前記光源の中心の水平距離はそれぞれ同一の距離であり、前記光源の中心と、前記側面部の横側面の水平距離は、それぞれ前記同一の距離の半分の距離であることを特徴とする、探傷用灯具。
【請求項２】
前記灯具収納ユニットは、前記光源の中心と、前記側面部の縦側面の水平距離が、前記同一の距離の半分の距離であることを特徴とする、請求項１に記載の探傷用灯具。
【請求項３】
少なくとも上辺、下辺、左辺、右辺の四辺を有する環状の固定部材を備えた探傷用灯具であって、該上辺は少なくとも１つの上取付穴を備え、前記下辺は少なくとも２つの下取付穴を備え、該下取付穴は、前記灯具収納ユニットの前記上面部に形成される別個の取付穴と対となって、前記光源の中心と他の前記光源の中心の水平距離と同一の距離を保つように構成される前記固定部材を備えたことを特徴とする、請求項１〜２に記載の探傷用灯具。
【請求項４】
少なくとも上辺、下辺、左辺、右辺の四辺を有する環状の固定部材を備えた探傷用灯具であって、該上辺は上取付穴を備え、前記下辺は２つの下取付穴を備え、該下取付穴は、前記灯具収納ユニットの前記上面部に形成される別個の取付穴と対となっており、２つの前記下取付穴同士の距離は、前記光源の中心と他の前記光源の中心の水平距離と同一の距離である前記固定部材を備えたことを特徴とする、請求項１〜２に記載の探傷用灯具。
【請求項５】
前記連結部は、配線部を収納可能な中空状であって、前記連結部の両端部に配線口を備え、前記灯具収納ユニットの前記縦側面と前記横側面の境にある角部に設けられた穴部と、前記連結部の前記両端部が、前記連結部に設けられた軸部または軸穴を中心としてそれぞれ回動可能に接続され、前記軸部または前記軸穴から前記横側面と前記縦側面は等距離に形成されており、前記角部は、少なくとも、上面視で、前記軸部または前記軸穴から前記横側面ないし前記縦側面までの距離を半径とした円弧状に形成された仮想円よりも内側に形成されていることを特徴とする、請求項１〜４に記載の探傷用灯具。
【請求項６】
前記連結部の回動の範囲が、前記連結部の前記配線口が前記灯具収納ユニットの内側方向のみを向く範囲となるように、回動範囲限定手段を備えていることを特徴とする、請求項１〜５に記載の探傷用灯具。
【発明の詳細な説明】
【技術分野】
【０００１】
本発明は、探傷用灯具に関し、より詳細には、浸透液を用いた浸透探傷試験、磁粉を用いて探傷を行う磁粉探傷試験における探傷用灯具に関する。
【背景技術】
【０００２】
例えば磁粉探傷試験においては、ビレット等の鋼材や自動車部品等の被検査物の表面の探傷検査に適用され、ＪＩＳ−Ｚ−２３２０に規格化されている。磁粉探傷試験では、被検査物の表面に磁粉を含有する磁粉溶液、すなわち磁粉液を塗布するとともに、被検査物に磁場を印加する等して被検査物を磁化する。磁化された被検査物の表面にクラック等のきずがある場合には、このきずから磁束が漏洩するため、この漏洩磁束による磁粉指示模様が形成される。そして、この磁粉指示模様を観測することで欠陥を検査する。磁粉探傷試験には、きずの検出精度を向上させるために、磁粉に蛍光体を塗布した蛍光磁粉を用いる蛍光磁粉探傷試験も知られている。
【０００３】
磁粉探傷試験においてこの磁粉指示模様を観測するために、紫外線ないし通常の探傷用灯具が用いられる。しかしながら被検査物の形状と、探傷用灯具の照射範囲が合致せずに、無駄な部分を照射するなどのロスが発生していた。これに対し、照明の分野では様々な提案がなされているところである。
【０００４】
特許文献１には、互いに連結した状態で設置面に設置可能な照明器具であって、互いに連結可能な筐体と、前記筐体に配列された複数の発光素子と、前記複数の発光素子それぞれの光を、前記設置面に対して傾斜角を有する方向に配光する配光部と、前記複数の発光素子の点灯を制御する制御部と、を備え、前記複数の発光素子は、前記傾斜角の傾斜方向から順に配列した、少なくとも２以上の発光素子群を構成し、前記制御部は、前記発光素子群それぞれを独立して点灯制御することを特徴とする照明器具が開示されている。
【先行技術文献】
【特許文献】
【０００５】
【特許文献１】特開２０１５−０６０６３９号公報
【発明の概要】
【発明が解決しようとする課題】
【０００６】
特許文献１には、照明器具を互いに連結することで、照射範囲を拡大するように変更可能な技術が開示されている。
【０００７】
しかしながら、特許文献１の照明器具は連結部（ネジ穴等）が設けられているという記載しかなく、その連結方法は固定的であり、容易に変形自在とはいいがたい。また照射範囲を可変とすることはできても、探傷用灯具に必要である、一定の距離において、領域内に、むらなく抜けのないような均一な照度を一定の強さに保つなどの工夫はなされていない。また照明器具毎に電源も必要となるため配線も多くなることとなる。
【０００８】
そこで本発明の目的は、照射範囲を容易に可変としつつ、照度をむらなく抜けの無い一定の強度に保つことのできる、探傷用灯具を提供することにある。
【課題を解決するための手段】
【０００９】
上記課題を解決するために、本発明は、灯具収納ユニットを複数有し、該灯具収納ユニット同士は連結部を通じて連結され、該灯具収納ユニット同士は前記連結部を略中心として変形可能な探傷用灯具であって、前記灯具収納ユニットは、箱状であって上面部、側面部、底面部をそれぞれ有し、前記灯具収納ユニットの内部には１つまたは複数の光源を有し、前記光源の中心と、他の前記光源の中心の水平距離はそれぞれ同一の距離であり、前記光源の中心と、前記側面部の横側面の水平距離は、それぞれ前記同一の距離の半分の距離であることを特徴とする。
【００１０】
更に、前記灯具収納ユニットは、前記光源の中心と、前記側面部の縦側面の水平距離が、前記同一の距離の半分の距離であることを特徴とする。
【００１１】
更に、少なくとも上辺、下辺、左辺、右辺の四辺を有する環状の固定部材を備えた探傷用灯具であって、該上辺は少なくとも１つの上取付穴を備え、前記下辺は少なくとも２つの下取付穴を備え、該下取付穴は、前記灯具収納ユニットの前記上面部に形成される別個の取付穴と対となって、前記光源の中心と他の前記光源の中心の水平距離と同一の距離を保つように構成される前記固定部材を備えたことを特徴とする。
【００１２】
更に、少なくとも上辺、下辺、左辺、右辺の四辺を有する環状の固定部材を備えた探傷用灯具であって、該上辺は上取付穴を備え、前記下辺は２つの下取付穴を備え、該下取付穴は、前記灯具収納ユニットの前記上面部に形成される別個の取付穴と対となっており、２つの前記下取付穴同士の距離は、前記光源の中心と他の前記光源の中心の水平距離と同一の距離である前記固定部材を備えたことを特徴とする。
【００１３】
更に、前記連結部は、配線部を収納可能な中空状であって、前記連結部の両端部に配線口を備え、前記灯具収納ユニットの前記縦側面と前記横側面の境にある角部に設けられた穴部と、前記連結部の前記両端部が、前記連結部に設けられた軸部または軸穴を中心としてそれぞれ回動可能に接続され、前記軸部または前記軸穴から前記横側面と前記縦側面は等距離に形成されており、前記角部は、少なくとも、上面視で、前記軸部または前記軸穴から前記横側面ないし前記縦側面までの距離を半径とした円弧状に形成された仮想円よりも内側に形成されていることを特徴とする。
【００１４】
更に、前記連結部の回動の範囲が、前記連結部の前記配線口が前記灯具収納ユニットの内側方向のみを向く範囲となるように、回動範囲限定手段を備えていることを特徴とする。
【発明の効果】
【００１５】
本発明によれば、灯具収納ユニットを複数有し、該灯具収納ユニット同士は連結部を通じて連結され、該灯具収納ユニット同士は前記連結部を略中心として変形可能な探傷用灯具であって、前記灯具収納ユニットは、箱状であって上面部、側面部、底面部をそれぞれ有し、前記灯具収納ユニットの内部には１つまたは複数の光源を有し、前記光源の中心と、他の前記光源の中心の水平距離はそれぞれ同一の距離であり、前記光源の中心と、前記側面部の横側面の水平距離は、それぞれ前記同一の距離の半分の距離であることを特徴とするので、直列に変形をしている直列形態の場合、光源の距離が一定であることにより、均一な配光の探傷用灯具を提供することができる。
【００１６】
また、本発明によれば、前記灯具収納ユニットは、前記光源の中心と、前記側面部の縦側面の水平距離が、前記同一の距離の半分の距離であることを特徴とするので、変形可能な探傷用灯具である本発明の探傷用灯具の直列形態の場合だけでなく、並列形態等の場合においても、灯具収納ユニットが光源の距離を保つ位置決めの役割を果たし、光源の距離が一定となることにより、均一な配光の探傷用灯具を提供することができる。
【００１７】
更に、本発明によれば、少なくとも上辺、下辺、左辺、右辺の四辺を有する環状の固定部材を備えた探傷用灯具であって、該上辺は少なくとも１つの上取付穴を備え、前記下辺は少なくとも２つの下取付穴を備え、該下取付穴は、前記灯具収納ユニットの前記上面部に形成される別個の取付穴と対となって、前記光源の中心と他の前記光源の中心の水平距離と同一の距離を保つように構成される前記固定部材を備えたことを特徴とするので、より光源と光源の間の距離が一定であることを確実とすることができ、照射領域内において一定の照射強度を保ち、一定以下の照射強度であることのない、均一な配光の探傷用灯具を提供することができる。
【００１８】
更に、本発明によれば、少なくとも上辺、下辺、左辺、右辺の四辺を有する環状の固定部材を備えた探傷用灯具であって、該上辺は上取付穴を備え、前記下辺は２つの下取付穴を備え、該下取付穴は、前記灯具収納ユニットの前記上面部に形成される別個の取付穴と対となっており、２つの前記下取付穴同士の距離は、前記光源の中心と他の前記光源の中心の水平距離と同一の距離である前記固定部材を備えたことを特徴とするので、より簡易な方法で光源間の距離を一定とすることができる固定部材を備えた探傷用灯具を提供することができる。また、灯具が直列形態の場合も、直列形態の灯具が並列形態等に変形した後の場合も、天井等に取り付けるための固定部材に、灯具の変形を固定する機能を持たせることができ、従って光源と光源の間の距離も一定に保てる固定部材を備えた探傷用灯具を提供することができる。
【００１９】
また、この構成により天井等に取り付けるために直列形態の場合、変形後の並列形態等の場合の両方の場合に用いることができるような固定部材とすることができ、かつ両方の形態において、探傷用灯具の機能に距離を一定に保つ機能が欠けていた場合、この固定部材のみでも光源と光源の間の距離を一定に保てるように固定をすることができるような固定部材を備えた、探傷用灯具を提供することができる。
【００２０】
更に、前記連結部は、配線部を収納可能な中空状であって、前記連結部の両端部に配線口を備え、前記灯具収納ユニットの前記縦側面と前記横側面の境にある角部に設けられた穴部と、前記連結部の前記両端部が、前記連結部に設けられた軸部または軸穴を中心としてそれぞれ回動可能に接続され、前記軸部または前記軸穴から前記横側面と前記縦側面は等距離に形成されており、前記角部は、少なくとも、上面視で、前記軸部または前記軸穴から前記横側面ないし前記縦側面までの距離を半径とした円弧状に形成された仮想円よりも内側に形成されていることを特徴とするので、配線を連結部内に収めることができ、配線が簡易となるとともに、連結部を通じて複数の灯具収納ユニット間で配線が接続可能となることから、電源コネクタを灯具収納ユニット毎に接続して供給する必要がなく、電源コネクタが少ない数で済み、かつ仮想円の内側に角部が収まっていることで箱型の灯具収納ユニットが連結部で連なる探傷用灯具が変形する際に、灯具収納ユニット同士が干渉せずに変形可能な探傷用灯具探傷用灯具を提供することができる。
【００２１】
更に、前記連結部の回動の範囲が、前記連結部の前記配線口が前記灯具収納ユニットの内側方向のみを向く範囲となるように、回動範囲限定手段を備えていることを特徴とするので、穴部の渕と連結部が当接して負荷がかかったり、配線口が灯具収納ユニットの外側にはみ出すことでケーブルが挟まるなどの不具合を回避することができ、より故障の少ない探傷用灯具とすることができる。
【図面の簡単な説明】
【００２２】
【図１】本実施形態に係る探傷用灯具の一例が示された斜視図である。
【図２】本実施形態に係る探傷用灯具の他の一例が示された斜視図である。
【図３】図２（ａ）の上面図、側面図が示された図である。
【図４】図２（ａ）の底面図である。
【図５】本実施形態に係る探傷用灯具の他の一例の、固定部材を除いた部分の変形例を示した図である。
【図６】図５の配線部分を示した概略断面図である。
【図７】図５の連結部の取り付けを示した図である。
【図８】図７のＡ領域の拡大図である。
【図９】図２の探傷用灯具の固定部材の取り付けを示した斜視図である。
【図１０】図２の探傷用灯具の他の変形例の固定部材の取り付けを示した斜視図である。
【図１１】本実施形態に係る固定部材の側面図、底面図、及び斜視図である。
【図１２】本実施形態に係る連結部の上面図、側面図及び斜視図である。
【発明を実施するための形態】
【００２３】
以下、図面を参照しつつ、本発明の実施形態を詳細に説明する。図１（ａ）は、本発明に係る探傷用灯具の後述する直列形態を示した図である。図１（ｂ）は本発明の、直列形態から変形した、並列形態を示す図である。図２は灯具収納ユニット１０の数が４つになった場合の本実施形態に係る探傷用灯具１の一例が示された図であり、図３は図２の探傷用灯具１の上面図と側面図である。図４は、図２の探傷用灯具１の底面図であり、図５は、本発明の実施形態の他の一例の探傷用灯具１の変形過程を示した図で、図６は、図５の配線部を示した概略断面図である。図７は、図５の探傷用灯具１の連結部１１の灯具収納ユニット１０への取り付けを示した斜視図であり、図８は、図７の（ｂ）のＡ領域の拡大図である。図９は図２の探傷用灯具に固定部材４０の取り付けを示した図である。図１０は、図２の探傷用灯具の、図９以外の変形例において、固定部材４０の取り付けを示した図である。図１１は固定部材４０の側面図、底面図、斜視図をそれぞれ示したものである。図１２は、連結部１１の上面図、側面図及び斜視図をそれぞれ示したものである。なお、以下では、説明の便宜上、図１、２，５において、探傷用灯具からみて固定部材、又は固定部材を取り付ける取付穴６１の側を上、反対側（光源が示される方の側）を下、図でみて手前側のほうを手前、奥側の方を奥とする。
【００２４】
図１（ａ）では、灯具収納ユニット１０が２つ、連結部１１によって直列に連結され、固定部材４０によって連結が補強されるとともに、図示せぬ天井部分に固定部材４０が取り付けられている。この灯具収納ユニット１０の配列を、直列形態と呼ぶ。図１（ｂ）に示されるように、探傷用灯具１は、灯具収納ユニット１０が連結部１１を通じて連結され、連結部１１と各灯具収納ユニット１０は、後述する軸部６３を通じて回動可能に連結されている。従って、連結部を略中心として、図１（ａ）の２つの灯具収納ユニットの、手前側の横側面３２同士が接するように変形され、図１の（ｂ）のように灯具収納ユニット１０が並列に並ぶ、並列形態に変形する。ただし、連結部の形態はこれに限定されるものではなく、例えば蝶番や、携帯電話用ヒンジ等を用いてもよい。また、灯具収納ユニット１０の縦側面３１のサイズも、２つの灯具収納ユニットが、並列形態の場合に、横側面３２同士で面接触するようなサイズに限定されるわけではなく、横側面３２同士の間に隙間があってもよい。この場合でも後述する固定部材４０での固定により、後述する光源２４同士の距離は同一に保つことができる。
【００２５】
図２は、灯具収納ユニット１０が４つ、３つの連結部１１によって連結された斜視図が示されている。連結部１１が３つあることで、図２（ａ）のような、灯具収納ユニット１０が、２列の並列形態だけではなく、図１０のように、４列の並列形態とすることもできる。
【００２６】
灯具収納ユニット１０は、箱状であって、直方体である。ただし、本発明と矛盾しない範囲において、他の形状、例えば一部が欠けている、一部にアール面がある、などのものであってもよい。
【００２７】
図３、図４に示されるように、縦や横に隣接する光源同士は、等間隔で配置されている。図４の光源の縦の間隔Ｘと横の間隔Ｙは、いずれも同一の距離である。同一の距離であることで、紫外線の照射範囲において、ムラがなく、一定の強度以上の照射強度を保っていて、かつ均一配光範囲であるような範囲を広くとることができる。均一配光範囲とは、紫外線を照射した場合の紫外線強度のバラつきがプラスマイナス１０パーセントとなっている範囲とする。ＸないしＹの距離は、観察対象から灯具照射面までの照射距離、光源、使用するレンズ等の種類によって異なるものの、おおむね１２５〜２２５ｍｍの範囲が好ましく、照射距離５００ｍｍに対し、１５０ｍｍであればより好ましい。
【００２８】
図４をさらに詳述する。光源２４と横側面や縦側面までの水平距離は、図４に示されるようにＺとなっている。この距離Ｚは、ＸないしＹの半分の距離である。Ｚが半分の距離であることで、図４の２列の並列形態である場合や、図１０の４列の並列形態である場合に、光源２４同士の距離が一定に保たれ、直列形態であってもその点は同じとなる。
【００２９】
ここで、光源２４は、紫外線のＬＥＤを用いたランプであるが、紫外線ランプや、通常の照明や、ＬＥＤ照明であって探傷用に用いられるものなら特に限定されるものではない。
【００３０】
次に配線部７１について詳述する。配線部７１は、一部しか図示しないが、光源２４をつなぎ、図示しない電源部を通じて外部電源から電力を供給するものである。図６は、配線部７１の変形時の動きを示したものである。変形は図５の（ａ）、（ｂ）、（ｃ）の順序で変形され、これに対応して、図６の（ａ）、（ｂ）、（ｃ）でそれぞれ配線部７１がどのような位置になっているか示したものである。図６のように、連結部１１があることで、配線部７１が外側に露出しない構成となっている。連結部１１は中空状であるので、配線部７１を収納できるようになっているため、図示する連結部１１においては、配線部７１の露出を完全に抑えることができる。ただし配線部７１を完全に覆う連結部１１とする限定をするものではない。例えば穴が開いていてメンテナンス可能であってもよい。この場合は配線部７１の露出が抑えられる連結部１１とすることができる。また、横側面３２の連結部１１が備えられていない側に配線部を固定することで、配線部７１が変形時に極端に曲がらず、緩やかに曲がることとなり、配線部の断線などのトラブルを防ぐことができる。
【００３１】
図７（ａ）は、連結部１１と灯具収納ユニット１０の取り付けを示した図である。図７（ａ）や図１２に示されるように、連結部１１の上面８１及び下面８２に設けられた軸部６３は、穴部６２の図示せぬ軸穴に回動可能に嵌合する。そのため、連結部１１は、軸部６３を中心として、灯具収納ユニット１０に対し、回動可能となっている。従って、灯具収納ユニット１０同士は、連結部１１を略中心として回動可能となっている。なお、軸穴と軸部はその構成が入れ替わってもよく、軸部６３の部分が軸穴であって、図示せぬ軸穴の部分に軸があっても、連結部１１が、軸部６３を中心として、灯具収納ユニット１０に対し、回動可能となっていればよい。
【００３２】
連結部１１をさらに詳述する。連結部１１は、図１２に示されるように、回動範囲限定手段として、端部７３の側面に段差７４が設けられている。また、図８に示されるように、連結部１１の側面は灯具収納ユニット１０の穴部６２の渕６５より奥まで伸びて形成されている。ただし、連結部１１の長さは、灯具収納ユニット１０の光源２４同士の距離が変わらないように適宜設計される。
【００３３】
次に、固定部材４０を詳述する。固定部材４０は、図９に示されるように、探傷用灯具１の直列形態や、種々の並列形態のいずれにも用いることができる。固定部材は、上辺４１、下辺４２、左辺４３、右辺４４を有し、図９に示されるように環状で構成されている。いずれの辺も、直線状であることは必要なく、ネジ止め等に適する形が最低限あれば足りる。
【００３４】
ネジ４５は、図９に示されるような形で固定に用いられる。図９では、光源の前上の上面部２１に取付穴６１が設けられ、その部分に固定部材４０の下取付穴５２を位置合わせし、ネジ４５により固定する。そして、図示せぬ天井部分と、上取付穴５１も同様に位置合わせされ、ネジ４５により固定される。上取付穴５２、下取付穴５１の形状は、ネジ穴でも単に穴でもよく、取付に適した穴が設けられていれば限定されるものではない。取付穴６１についてもそれは同様であり、ワッシャーを用いた方法など適宜固定するための穴があればよい。
【００３５】
ここで上取付穴は、一つ以上であれば差し支えないし、図１１に示されるように、下取付穴５２同士の距離Ｗも、前述した光源間の距離ＸやＹと同一の距離であれば、上述したように直列形態や並列形態などの変形時にも容易に固定部材４０を用いることができ、好ましい。もちろんこれに対応する図３に示すような取付穴６１同士の距離ＳもＷと同じ距離であることが好適である。また、図１１に示される固定部材４０の端から下取付穴５２の中心までの距離ＲはＷの半分であれば好適である。このようにすることで、図１０のように固定部材４０を連続して用いることができる。ただし、これに限定されるものではなく、固定部材４０の下取付穴５２と、取付穴６１が対となって、光源２４同士の距離を一定に保つ役割を担えるのであればよい。
【００３６】
例えば、図９の下取付穴５２のいずれか一個が、手前側に１ミリずれて配置されても、取付穴６１も対となって、同様に手前側に１ミリずれて配置されれば、下取付穴５２同士の距離は変わるものの、光源２４間の距離は変わらず、照度のむらなく、一定の強度の照射ができる探傷用灯具１とすることができる。また、固定部材４０があることで、灯具収納ユニット１０同士が並列形態時に密着して配置されなくとも、固定部材４０が光源２４間の距離を維持することができることから、好適である。
【００３７】
次に、連結部１１の角部３３を詳述する。灯具収納ユニット１０の縦側面３１と横側面３２の境には、角部３３が設けられている。角部３３には、連結部１１の端部が挿入できる穴部６２が設けられている。連結部は箱状であるがこれに限定するものではなく、例えば側面が曲面であっても灯具収納ユニット１０と干渉しなければよい。
【００３８】
連結部１１は、端部７３を有し、端部７３には配線口が設けられている。本実施形態において端部は２つである。
【００３９】
角部３３は、端部７３に設けられた軸部６３と嵌合している軸穴６６を中心とした、半径が軸部６３から横側面ないし縦側面までの距離である円弧よりも内側に形成されている。これにより、灯具収納ユニット１０同士が直列形態から並列形態等に変形する場合に、角部３３同士が干渉することなく変形可能となる。ここで、軸部と軸穴は、縦側面までの距離と、横側面までの距離は同じ間隔に形成されている。連結部１１を箱状とし、軸部６３を中心として回動可能に連結部１１が構成されている場合には、この構成であることが好ましいがこれに限定されるものではない。
【００４０】
また、角部３３は、軸部６３から縦側面あるいは横側面までの距離より長い半径の円の円弧状であってもよい。このように構成することで、ガタつきが少なく、スムーズに直列形態から並列形態等へ変形することが可能となる。逆も同様である。
【００４１】
ここで角部３３は、連結部１１の設けられている側のみをさし、連結部は、２列の場合は灯具収納ユニット１０の側面のどちらか一方に、３個以上の灯具照明ユニット１０を連結する場合は、図９で示されるように、直列形態で、図９で見て奥側、手前と交互に連結部１１が設けられることが好ましい。このようにすることで、直列形態から並列形態にスムーズに変形をすることができる。逆も同様である。
【００４２】
連結部１１は軸部６３と軸穴６６を中心として回動する。その回動の範囲は、回動範囲限定手段により、灯具収納ユニット１０の内側に限定される。その回動の範囲が、配線部７１が通る、配線口７２が灯具収納ユニットより外側を向くことが可能なように構成されると、配線部７１が配線口７２と灯具収納ユニット１０の縦側面３１や横側面３２との間に挟まって、断線する危険があることとなるため回動範囲が限定されている。この回動の範囲を限定する構成を、回動範囲限定手段とする。具体的な回動範囲限定手段としては、図８に示されるように、穴部６２の渕６５にひっかかるような段差７４と、渕６５にひっかかるだけの長さとした連結部１１であることによって、回動範囲限定手段となる。
【００４３】
ただ、回動範囲限定手段はこれに限定されるものではなく、段差がなくとも渕６５にひっかかる長さを備えた、本実施形態よりも少し細い連結部１１としてもよいし、連結部の一部のみが渕６５を超える長さを持っているだけでも回動範囲限定手段の役割を果たすこととなる。
【実施例】
【００４４】
実施例１の探傷用灯具は、マークテック製ＬＥＤ光源ユニット１０ＵＬを用いて５００ｍｍの距離から紫外線を照射する灯具である。本開示の実施例（ＬＥＤ光源ユニット１０ＵＬ・照射距離５００ｍｍ）においては、分布が歪にならずに照射範囲が広がる１５０ｍｍを光源２４間の距離とした。灯具収納ユニット１０に３つの光源を用いて作成された。灯具収納ユニット１０の数は４つであった。光源の距離が同一である、直列形態から並列形態に変形可能である、その他本開示の特徴を有していた。
【００４５】
この実施例の探傷用灯具で、以下の試験を行った。しかし本開示はこの実施例に限定されるものではない。
【００４６】
(均一配光範囲試験)上記の実施例を直列形態（光源配置は１×１２）、２列の並列形態（光源配置は２×６）、４列の並列形態（光源配置は４×３）に分けて紫外線放射照度の測定を行った。ＬＥＤは素子に流す電流の強さによって明るさを変えることができる。本紫外線放射照度測定では一律５００ｍＡを全ての光源に対して流した。また、本測定には、マークテック製デジタル紫外線強度計ＵＶ−２５００IIIが用いられた。そして、本測定では紫外線放射照度が何パーセントかを測定した。紫外線放射照度の１００パーセントの値は、各形態ごとに一定値を放射照度１００％として設定された。
【００４７】
各形態で紫外線放射照度の１００パーセントの値が異なるのは、一律５００ｍＡをすべての光源に流すという実験上、光源の並び方が並列になるほど色々な方向から光が入ってくるため、当然一定値としている１００％の値は変わるためである。各配列で１００％の紫外線放射照度の値は以下の通りである。すなわち、直列形態（１×１２）：３５００μＷ／ｃｍ２、２列の並列形態（２×６）：５０００μＷ／ｃｍ２、４列並列形態（４×３）：５５００μＷ／ｃｍ２とされた。そして、本測定の結果を表したのが表１のグラフである。直列形態（１×１２）が表１−１に、２列の並列形態が表１−２に、４列の並列形態が表１−３にそれぞれ示されている。
【００４８】
本測定によって、表１に示されるように、直列形態、２列の並列形態、４列の並列形態のいずれであっても、表１に記載の１００％の値の±１０％の範囲、つまり照度が９０〜１１０％の範囲に赤色の均一配光範囲が収まっているということとなった。それぞれの測定結果を見てみると、均一配光範囲は直列形態で１５００ｍｍ×１００ｍｍの範囲に、２列の並列形態が６００ｍｍ×１５０ｍｍの範囲に、４列の並列形態は３５０ｍｍ×３５０ｍｍの範囲となった。
【００４９】
つまり、３形態のうちいずれの形態でも均一配光範囲が特に広いことが示された。また、本測定における３形態のいずれの照度が９０〜１１０％の範囲の均一配光範囲においても、途中で照度が弱い部分があるなどの、照度のむらは見られなかったとの結果が得られた。
【００５０】
この測定結果は、光源に対し流す電流を変えても同様である。４列の並列形態（４×３）の１００パーセントの照度は本測定では５５００μＷ／ｃｍ２であるが、これを３５００μＷ／ｃｍ２に下げ、これに伴い電流の強さを適宜変えることで、均一配光範囲における照度を表１−１と同じ強さとし、均一配光範囲について表１−３と異ならない分布、範囲で得ることができる。ただ、あくまで測定上、同じ条件にそろえたために照度の１００パーセントの値が異なったこととなったものである。
【００５１】
【表１】
2019114414.tif 000003
【００５２】
以上の測定試験で、本開示のように光源２４間の距離を一定に保った場合、照度のむらなく、均一配光範囲において一定の強度を保った探傷用灯具１とすることができることが示された。
【産業上の利用可能性】
【００５３】
本開示の探傷用灯具は、磁粉を用いて探傷を行う磁粉探傷装置及び磁粉探傷方法、又は浸透探傷試験において、浸透液を用いた浸透探傷試験に好適に利用することができる。本開示の探傷用灯具は変形可能であり、工場のラインにおいて、検査物が変更となり、灯具の変更が必要となる場合に有用である。また本開示の探傷用灯具は、探傷範囲が様々であるため、オーダーメイドが必要な探傷用灯具の場合にも、好適に用いることができる。
【符号の説明】
【００５４】
１    探傷用灯具
１０  灯具収納ユニット
１１  連結部
２１  上面部
２２  側面部
２３  底面部
２４  光源
３１  縦側面
３２  横側面
４０  固定部材
５１  上取付穴
５２  下取付穴
６１  取付穴
６２  穴部
６３  軸部
６５  渕
６６  軸穴
７１  配線部
７２  配線口
７３  端部
７４  段差
【図１】
2019114414.tif 000004
【図２】
2019114414.tif 000005
【図３】
2019114414.tif 000006
【図４】
2019114414.tif 000007
【図５】
2019114414.tif 000008
【図６】
2019114414.tif 000009
【図７】
2019114414.tif 000010
【図８】
2019114414.tif 000011
【図９】
2019114414.tif 000012
【図１０】
2019114414.tif 000013
【図１１】
2019114414.tif 000014
【図１２】
2019114414.tif 000015